(57)【要約】【課題】  記録開始までの時間が短い省電力状態を設けたビデオカメラにおいて、記録媒体が記録できない状態であっても省電力状態に入ってしまい、ユーザーにすぐ記録ができるとの誤認を与えてしまう場合があるという課題があった。【解決手段】  被写体を撮影し映像信号にするためのカメラ部と、データを記録する記録媒体を駆動するためのドライブ部と、本装置全体を制御するための制御部とを備えた撮像装置において、本装置の電源オフモード及び電源オンモードとは異なる省電力モードを設け、前記記録媒体が記録可能である場合、前記省電力モードに移行することを可能とし、前記記録媒体が記録不可能である場合、前記省電力モードに移行することを禁止する。【選択図】  図３
2007150932.tif 000002
【特許請求の範囲】
【請求項１】
被写体を撮影し映像信号にするためのカメラ部と、データを記録する記録媒体を駆動するためのドライブ部と、本装置全体を制御するための制御部とを備えた撮像装置において、
本装置の電源オフモード及び電源オンモードとは異なる省電力モードを設け、
前記記録媒体が記録可能である場合、前記省電力モードに移行することを可能とし、前記記録媒体が記録不可能である場合、前記省電力モードに移行することを禁止することを特徴とする撮像装置。
【請求項２】
請求項１に記載の撮像装置において、
前記省電力モード時は電源オンモードへの移行時間の短いブロックを省電力状態にすることを特徴とする撮像装置。
【請求項３】
請求項１又は２記載の撮像装置において、
前記省電力モードへ切り替えるための専用キーを設けることを特徴とする撮像装置。
【請求項４】
請求項１乃至３のいずれかに記載の撮像装置において、
前記省電力モードでは表示部を消灯することを特徴とする撮像装置。
【発明の詳細な説明】
【技術分野】
【０００１】
本発明は、撮像装置の撮影開始時の起動時間に係り、特に省エネを図りながら撮影開始時の起動時間を短縮する技術に関するものである。
【背景技術】
【０００２】
近年のビデオカメラ及びデジタルスチルカメラ等の撮像装置は、１つの撮像装置で動画や静止画の両方を撮影できる等、複数の撮影モードを有し、複数の記録媒体に対応するなど多機能化が進んでいる。
【０００３】
一方で、撮影や再生等の表示に用いる液晶ディスプレイ等の表示装置は、見易さやユーザーの使い勝手を向上させる為、画面サイズが大きくなる傾向がある。これらの表示装置は、撮影中だけではなく映像を常時表示している場合が多い為、撮影中以外にも電力を消費している。
【０００４】
バッテリーを用いた撮像装置は長時間の使用を考えると、省電力を意識して使用する必要がある。例えば「撮影や設定などで撮像装置を使用する時以外は電源をオフにする。」と言った対応が必要となる。しかし、電源をオフにしていた場合、撮影しようとして電源をオンにした時には、撮影や記録が可能になる為の準備、例えば光記録媒体の読み取り／書き込み調整や容量のチェックやカメラ系のフォーカスの設定等の処理を行う為、撮影及び記録開始可能状態になるまでには若干の時間が掛かってしまう。その為、電源オフの状態から電源をオンにした時、直ぐに撮影や記録ができずシャッターチャンスを逃す可能性がある。ビデオカメラやデジタルスチルカメラを代表とする撮像装置は、撮影や記録したい時に撮影や記録ができる状態である必要があるが、常に電源をオンにしておくと、バッテリーが速く消耗し長時間使用できないという問題となる。
【０００５】
このような問題を考慮した従来技術では、ビデオカメラの電源をオンにし、動作モードを映像を撮影する動作モードとなる撮影モードに設定し、撮影可能な状態になった時にのみ、記録するために必要なドライブ部を動作させてスタンバイモードとするようになっている。すなわち、電源をオンしただけでは省電力状態になっているので、電力の消費を抑制することができる技術が提案されている。（特許文献１参照）
また、他の従来技術では、ビデオカメラを電源オンの撮影モードの状態から、省電力状態、例えば、液晶ディスプレイやビューファインダー等の表示を消し通常の電源オンの状態と比べ消費電力を抑えた省電力状態にする専用のキー（クイックスタートキー）を備え、その専用のキーを用いて省電力状態への移行／解除ができるようになっている。さらに省電力状態では発光部により省電力状態であることを表示し、視認できるようになっている。これにより省電力状態から元の電源オンの撮影モード状態に戻る時は、電源オフの状態から電源オンにした時よりも早く起動することができ、撮影・記録開始時の時間短縮を図ることのできるビデオカメラが製品化されている。（例えば、非特許文献１参照）
【特許文献１】特開２００１−２２３９２９号公報
【非特許文献１】松下電器株式会社製デジタルビデオカメラ「ＮＶ−ＧＳ２５０」取扱説明書９ページ、３５ページ
【発明の開示】
【発明が解決しようとする課題】
【０００６】
しかしながら、上記特許文献１の従来技術では、電源オン状態では通常ドライブ部は動作しておらず、撮影モードに設定してからドライブ部を動作させて光記録媒体の読み取り／書き込み調整や容量のチェック後に撮影・記録可能なスタンバイ状態になるので、光記録媒体の読み取り／書き込み調整や容量のチェックに時間がかかりシャッターチャンスを逃す可能性があるという課題があった。
【０００７】
また、上記非特許文献１記載の従来技術では、専用のキー（クイックスタートキー）にて省電力状態にするとき、記録媒体の状態を認識することには配慮されていない。そのため、記録媒体が記録できない状態であっても省電力状態に入ってしまい、ユーザーにすぐ記録ができるとの誤認を与えてしまう場合があるという課題があった。さらに、省電力状態中に記録媒体を取り出す、撮影モードを切り替える等、省電力状態に移行する前と異なる状態に変化させた後に、省電力状態を解除して通常の電源オンの状態に復帰した場合に、省電力状態の表示のままであるので、撮影ができない状態であっても撮影できると誤認させてしまう場合があるという問題があった。
【０００８】
本発明の目的は、撮影・記録開始までに時間が短い省電力状態を備え、記録媒体への記録が不可能時には省電力状態に切り替わることを禁止することにより、ユーザーの誤認を防止する撮像装置を提供することにある。
【課題を解決するための手段】
【０００９】
上記目的は、特許請求の範囲に記載の発明により達成される。
【発明の効果】
【００１０】
本発明によれば、撮影・記録開始までに時間が短い省電力状態を備え、記録媒体への記録が不可能時には省電力状態に切り替わることを禁止することにより、ユーザーの誤認を防止することができる。
【発明を実施するための最良の形態】
【００１１】
以下、本発明の実施形態を、図面を用いて説明する。
【実施例１】
【００１２】
本実施例によるビデオカメラの外観の構成を、図１を用いて説明する。図１は、本実施例によるビデオカメラの外観図を示し、図１（ａ）はビデオカメラ側面の図、図１（ｂ）はビデオカメラ後面の図、図１（ｃ）はビデオカメラ上部の図を示す。
【００１３】
本ビデオカメラは、被写体に向けるレンズ部１、撮影した映像や各種情報を表示するビューファインダー部２及び液晶ディスプレイ部３、電力供給用のバッテリー４、本ビデオカメラを操作するための各種操作キー５、記録媒体を取り出すためのＥｊｅｃｔキー６、動画撮影・記録用の動画撮影キー７、電源オン／オフや撮影モード切り替え用の電源／撮影モード切替キー８、静止画撮影・記録用の静止画撮影キー９、ズームキー１０、省電力状態への以降／解除をするための省電力キー１１、省電力状態時に点灯するＬＥＤ（発光ダイオード）１２ で構成されている。
【００１４】
さらに、内部構成を及び動作概要、を図２を用いて説明する。図２は、本実施例によるビデオカメラの内部構成のブロック図を示す。
【００１５】
本ビデオカメラは、レンズ１３、ＣＣＤ（Ｃｈａｒｇｅ  Ｃｏｕｐｌｅｄ  Ｄｅｖｉｃｅ）１４、カメラＤＳＰ（Ｄｉｇｉｔａｌ  Ｓｉｇｎａｌ  Ｐｒｏｃｅｓｓｏｒ）１５、記録媒体(メディア)１６、ドライブ装置１７、記録・再生回路１８、マイクロコンピュータ１９、オーディオ２０、入力キー２１、省電力キー１１、ＬＥＤ１２、グラフィック回路２３、ビューファインダー２４、液晶ディスプレイ２５、外部出力端子２６で構成されている。ここで、入力キー２１には各種操作キー５、Ｅｊｅｃｔキー６、動画撮影キー７、電源／撮影モード切替キー８、静止画撮影キー９、ズームキー１０等を含んでいる。
【００１６】
記録時、レンズ１３から取り込まれた被写体像はＣＣＤ１４にて映像信号に変換され、さらに記録・再生回路１８で符号化等の処理を施した後、ドライブ装置１７によって光ディスク等の記録媒体１６に記録される。一方、記録・再生回路１８に入力された映像信号は、グラフィック回路２３で文字情報等を重畳されビューファインダー２４や液晶ディスプレイ２５に表示されるとともに、外部出力端子２６に接続された表示装置（ＴＶ等）に表示される。
【００１７】
再生時、記録媒体１６からドライブ装置１７を介して再生された映像信号は、記録・再生回路１８で復号等の処理を施した後、グラフィック回路２３で文字情報等を重畳されビューファインダー２４や液晶ディスプレイ２５に表示されるとともに、外部出力端子２６に接続された表示装置（ＴＶ等）に表示される。
【００１８】
マイクロコンピュータ１９は、本ビデオカメラ全体を制御する制御部で入力キー２１や省電力キー１１からの入力に従い各ブロックを制御する。オーディオ２０は、音声信号をアナログからデジタル、デジタルからアナログへの変換を行う。
【００１９】
ここで、本実施例に係わる省電力状態について説明する。
【００２０】
電源／撮影モード切替キー８により撮影モードに切り替えると電源がオンし、マイクロコンピュータ１９は各ブロックを制御して記録媒体１６への読み取り／書き込み調整や容量チェック等の記録媒体１６の状態やレンズ１３を制御してフォーカス設定等のビデオカメラの各種機能の設定等を行う。同時に記録媒体１６への記録が可能であるかどうかも検出する。その後、記録が可能な状態であれば電源オン記録待機状態となり、ユーザーが動画撮影キー７または静止画撮影キー９を操作するのを待つ。ここで、ビューファインダー２４や液晶ディスプレイ２５に被写体映像とともに記録可能であることの表示をしてもよい。その後、ユーザーが動画撮影キー７または静止画撮影キー９を押下すると記録を開始する。記録が不可能な状態であれば、電源オン記録不可状態となる。ここで、ビューファインダー２４や液晶ディスプレイ２５に被写体映像とともに記録できないこと表示してもよい。尚、電源オン記録待機状態では撮影・記録に関係する回路ブロックは動作しているので、記録開始の時間は短い。
【００２１】
電源オン記録待機状態で省電力キー１１を押下すると、ビデオカメラは省電力状態に移行し、ＬＥＤ１２を点灯する。また、電源オン記録不可状態で省電力キー１１を押下した場合は、記録ができないことのメッセージをビューファインダー２４や液晶ディスプレイ２５に表示する。このように、記録媒体１６への記録が不可能時には省電力状態に切り替わることを禁止しているためＬＥＤ１２は点灯しないので、ユーザーが記録できると誤認することを防止することができる。
【００２２】
さらに、省電力状態で記録媒体１６が取り出された場合には、ドライブ装置１７を介して記録媒体１６が取り出されたことを検出したマイクロコンピュータ１９は省電力状態を解除し電源オン記録不可状態となる。また、省電力状態で電源／撮影モード切替キー８を操作して撮影モードを変更した場合には、省電力状態を解除し切り替え後の撮影モードでの記録可否を判断後、記録可能時は電源オン記録待機状態となり、ユーザーが動画撮影キー７または静止画撮影キー９を操作するのを待つ。
【００２３】
この省電力状態では、レンズ１３、ＣＣＤ１４、カメラＤＳＰ１５、ドライブ装置１７、オーディオ２０、グラフィック回路２３、ビューファインダー２４、液晶ディスプレイ２５、外部出力２６等内の省電力状態を解除した時に電源オンの記録待機状態になるまでの時間が短くて済む回路ブロックは動作させ、その他の回路ブロックは動作を停止して、省電力状態へと移行させる。例えば、ビューファインダー２４や液晶ディスプレイ２５は表示画面を消すことで省電力状態にし、レンズ１３はレンズ１３を速く起動できる位置に予め移動させてから駆動回路ブロックの動作を停止する。また、ＣＣＤ１４やカメラＤＳＰ１５、ドライブ装置１７、オーディオ２０、グラフィック回路２３、外部出力２６等の各回路ブロックは、省電力待機状態にする。
【００２４】
尚、省電力状態が用意されていない場合は、動作状態を消費電力が低くかつ起動が早い状態にしておくようにしても良い。例えば、記録待機状態ではなく映像を再生する状態がその回路ブロックにとって消費電力が少ない場合は、再生状態とさせておくことで少しでも消費電力を抑えるようにする。
【００２５】
次に、本実施例によるビデオカメラの省電力状態への移行時及び省電力状態中の処理の流れを図３、図４を用いて説明する。図３は本実施例によるビデオカメラの省電力状態への移行処理のフローチャート、図４は本実施例によるビデオカメラの省電力状態中の処理のフローチャートを示す。
【００２６】
本実施例は、省電力キー１１を押下することでビデオカメラを省電力状態に移行し、再度省電力キー１１を押下すると、省電力状態を解除し直ぐに記録開始が可能な電源オン記録待機状状態にすることができるものであり、省電力を図りながら記録開始時の時間を短縮することができる。以下に詳細を示す。
【００２７】
ステップＳ１で電源／撮影モード切替キー８により撮影モードに切り替える操作が行われると電源をオンし、ステップＳ２にてビデオカメラの起動を行う。ここで表す撮影モードとは、動画または静止画を記録する為の動画モードまたは静止画モードを指す。ビデオカメラの起動処理のステップＳ２では、記録媒体１６(以降メディアとする) への読み取り／書き込み調整や容量チェック等の記録媒体１６の状態やレンズ１３を制御してフォーカス設定等のビデオカメラの各種機能の設定等の撮影する為の準備処理とともに記録媒体１６への記録が可能であるかどうかの検出を行う。そして、ステップＳ３にてステップＳ２で行った処理で記録媒体１６へ選択した撮影モードでの記録ができる状態なのかを判断する。記録ができる状態であれば、ステップＳ４の電源オン記録可能な状態(以降記録待機状態とする)に移行し、ユーザーが動画撮影キー７または静止画撮影キー９を操作するのを待つ。ここでユーザーが動画撮影キー７または静止画撮影キー９を押下すると記録を開始する。このときは、記録待機状態からの記録開始であるので短い時間で記録を開始することができる。
【００２８】
ここでの記録可能な状態および記録待機状態とは、メディア１６が本ビデオカメラに挿入され、かつメディア１６の残量が残っており撮影した映像を記録できる状態であること。また、挿入されているメディア１６に対し記録できる撮影モードを選択されていること、バッテリー４の容量が十分であること等、動画撮影キー７および静止画撮影キー９を用いて映像を記録できる状態を意味する。
【００２９】
ステップＳ２にて、メディア１６に撮影した映像を記録する容量が無い、メディア１６が挿入されていない、バッテリー４の容量が不足している等、本ビデオカメラが記録できる状態ではないとステップＳ３で判定されると、ステップＳ５の撮影することはできないが、ビデオカメラ本体の電源がオンになっている状態(以降記録不可状態とする)へと移行する。
【００３０】
ステップＳ４の記録待機状態で、ステップＳ６で省電力キー１１を押下すると、ステップＳ７の省電力状態に移行する。この時、ビデオカメラが省電力状態であることを示すＬＥＤ１２を点灯させる。省電力状態ではビューファインダー２４や液晶ディスプレイ２５の表示画面が消えているので、ＬＥＤ１２を点灯させることで電源オフの状態と勘違いすることを抑制する。
【００３１】
また、ステップＳ５の記録不可状態で、ステップＳ１７で省電力キー１１を押下すると、ステップＳ１８でビューファインダー２４や液晶ディスプレイ２５に記録できないことのメッセージを表示し、ステップＳ５の記録不可状態へ戻る。このように省電力キー１１をステップＳ４の記録可能状態でのみ有効にすることで、省電力状態を解除した時には必ず記録可能状態になる。また、ステップＳ５の記録不可状態で省電力キー１１を押下した場合は、省電力状態へ移行できない理由を表示することでユーザーにビデオカメラが記録できない状態であることを促すことができ、誤認を防止できる。
【００３２】
次に、図４を用いて省電力状態に移行した後の処理の流れを示す。省電力状態ではステップＳ８、Ｓ９、Ｓ１０、Ｓ１１、Ｓ１２でビデオカメラの状態チェックを随時行う。
【００３３】
ステップＳ７で省電力状態に移行後、ステップＳ８で省電力キー１１が再度押下されたと判定されると、省電力状態が解除されステップＳ４の記録待機状態に戻る。このとき、メディア１６の状態判定や、通常の起動処理で行われるビデオカメラ機能設定等を行わずに、ビデオカメラを記録待機状態へ移行しているので、すぐに記録開始できシャッターチャンスを逃すことを防止できる。
【００３４】
ステップＳ９にてＥｊｅｃｔキー６が押下されたと判定されると、省電力状態が解除され、メディアカバー（図示せず）が開きメディア１６が取り出される。メディア１６が無い状態またはメディアカバーが開けられた状態である為、ビデオカメラはステップＳ５に戻り記録不可状態となる。
【００３５】
ステップＳ１０にて省電力状態が一定の時間が経過したと判定されると、ビデオカメラの省電力状態を解除し、ステップＳ１６でビデオカメラ本体の電源をオフにする。省電力状態の見た目は電源オフに近いが、通常の電源オフと異なり、通常の電源オンの状態より省電力ではあるが電力を消費している。そこで自動で電源をオフにすることで、バッテリーの持ち時間が短くなることを少しでも抑える為に一定時間で省電力状態を解除し電源オフにする。なお、この一定時間は、ユーザーに設定させても良いし、予め３０分等の固定の時間を設定しても良い。ここで、次に電源をオンにした時は省電力状態からの起動では無い為、通常の起動処理となる。
【００３６】
ステップＳ１１にてバッテリー４、またはＡＣアダプター（図示せず）が抜かれたと判定されると、ビデオカメラの省電力状態を解除し、ステップＳ１６で電源をオフにする。ここで、次に電源をオンにした時は省電力状態からの起動では無い為、通常の起動処理となる。
【００３７】
ステップＳ１２にて電源／撮影モード切替キー８により電源オフまたは撮影モードが変更されたと判定されると、ステップＳ１４にて電源／撮影モード切替キー８がビデオカメラのどの状態に設定されたかを判定する。ステップＳ１４にて撮影モードが変更されたと判定、例えば省電力状態になる前の撮影モードが動画撮影モードであった場合に静止画撮影モードに変更、または省電力状態になる前の撮影モードが静止画撮影モードであった場合に動画撮影モードに変更等、撮影モードが変更になった（Ｎｏ）時は、省電力状態を解除し、ステップＳ１５で変更後の撮影モードに従ってビデオカメラを起動しステップＳ４に戻り記録待機状態となる。また、電源がオフに設定された場合（Ｙｅｓ）は、ステップＳ１６でビデオカメラの電源をオフにする。
【００３８】
ステップＳ１５では、撮影モードが変更された場合、変更後の撮影モードで記録可能状態であるかを確認する必要がある為、起動処理でビデオカメラ及びメディア１６の状態のチェックをする。尚、動画撮影モードから静止画撮影モードへのモード変更など、通常動画撮影・記録と比べ記録容量が少ない静止画撮影・記録へのモード変更等、記録可能状態へ移行できることを保証でる場合はこの起動処理を省いても良い。
【００３９】
以上、図３、図４を用いて、ビデオカメラが省電力状態へ移行する流れ、ビデオカメラの省電力状態について、省電力状態中の処理の流れを示した。このように、記録待機状態への移行が直ぐにできる省電力状態を設けることにより、省電力を図りながら記録開始の時間を短縮し、さらに、記録不可の場合には省電力状態にならないのでユーザーが記録できると誤認することを防止することができる。
【００４０】
次に、ステップＳ１８での表示例を、図５を用いて説明する。図５は、本実施例によるビデオカメラのメッセージ表示時の画面例を示す。
【００４１】
液晶ディスプレイの画面２７には、記録できないことのメッセージ２８、撮影モードや日付等のその他の表示２９が表示されている。ここでは、メディア１６が挿入されていないため記録できない場合を示し、メッセージ２６として「メディアが挿入されていません。」と表示している。尚、記録できない理由が他の原因によるものであればその原因にあった表示をする。
【００４２】
なお、実施例１で示した図１のビデオカメラにあるキー及びバッテリー等の種類や配置は、あくまで一例でありこの表示内容や配置を限定するものではない。
また、図３、図４で示した省電力状態への移行、省電力状態について、省電力中の処理は、あくまで処理の一例に過ぎず、処理内容を限定するものではない。当然、処理の項目数が増えても減っても構わないし、撮像装置の省電力についての扱い方を限定するものでもない。
【図面の簡単な説明】
【００４３】
【図１】本実施例によるビデオカメラの外観図
【図２】本実施例によるビデオカメラの内部構成のブロック図
【図３】本実施例によるビデオカメラの省電力状態への移行処理のフローチャート
【図４】本実施例によるビデオカメラの省電力状態中の処理のフローチャート
【図５】本実施例によるビデオカメラのメッセージ表示時の画面例
【符号の説明】
【００４４】
１…レンズ部、２…ビューファインダー部、３…液晶ディスプレイ部、４…バッテリー、
５…各種操作キー、６…Ｅｊｅｃｔキー、７…動画撮影キー、
８…電源／撮影モード切替キー、９…静止画撮影キー、１０…ズームキー、
１１…省電力キー、１２…ＬＥＤ（発光ダイオード）、１３…レンズ、１４…ＣＣＤ、
１５…カメラＤＳＰ、１６…記録媒体（メディア）、１７…ドライブ装置、
１８…記録・再生回路、１９…マイクロコンピュータ、２０…オーディオ、
２１…入力キー、２３…グラフィック回路、
２４…ビューファインダー、２５…液晶ディスプレイ、２６…外部出力端子、
２７…液晶ディスプレイ、２８…メッセージ、２９…その他の表示
【図１】
2007150932.tif 000003
【図２】
2007150932.tif 000004
【図３】
2007150932.tif 000005
【図４】
2007150932.tif 000006
【図５】
2007150932.tif 000007